(57)【要約】      （修正有）【課題】来訪者をX線スキャナー装置等の非接触検知装置で撮像して危険物を持っていないかを容易に確認することができるインターホンシステムを提供する。【解決手段】玄関近傍に設置され、来訪者が居住者を呼び出して通話をする通話部、来訪者を撮像するカメラを有するゲート子機と、居室に設置され、居住者が来訪者からの呼び出し時にカメラで撮像された来訪者の映像を出画するモニタと、来訪者と通話するための通話部を有する居室親機とから構成されるインターホンシステムであって、インターホンシステムには、来訪者をスキャンして危険物の所持状況を確認するためのX線スキャナー装置等の非接触検知装置と、非接触検知装置でスキャンされた画像を解析しその形状から危険物を判断するための画像処理部と、画像処理部が危険物と判定したとき居室親機へ危険情報を送信する制御をおこなう子機ＣＰＵを備える。【選択図】図２
2010011092.tif 000002
【特許請求の範囲】
【請求項１】
玄関近傍に設置され、来訪者が居住者を呼び出して通話をする通話部、前記来訪者を撮像するゲート子機カメラを有するゲート子機と、居室に設置され、前記居住者が前記来訪者からの呼び出し時に前記ゲート子機カメラで撮像された来訪者の映像を出画するモニタと、前記来訪者と通話するための通話部を有する居室親機とから構成されるインターホンシステムであって、
前記インターホンシステムには、前記来訪者をスキャンして危険物の所持状況を確認するためのX線スキャナー装置等の非接触検知装置と、前記非接触検知装置でスキャンされた画像を解析しその形状から危険物かそうでないかを判断するための画像処理部と、前記画像処理部が危険物と判定したとき前記居室親機へ危険情報を送信する制御をおこなう子機ＣＰＵを備えたことを特徴とするインターホンシステム。
【請求項２】
前記画像処理部は、前記ゲート子機カメラで撮った画像と前記危険情報との合成画像を作成すること特徴とする請求項１記載のインターホンシステム。
【請求項３】
前記画像処理部は、危険物の形状と当該形状に対する危険度が記憶されているメモリと前記非接触検知装置で撮像された画像の情報とを比較して判別し、前記危険情報とともに前記危険度を送信することを特徴とする請求項１記載又は請求項２記載のインターホンシステム。
【発明の詳細な説明】
【技術分野】
【０００１】
本発明は、インターホンシステムに係り、特に、来訪者をX線スキャナー装置等の非接触検知装置で撮像して危険物を持っていないかを容易に確認することができるインターホンシステムに関する。
【背景技術】
【０００２】
従来のインターホンシステムは、来訪者の呼び出し時に玄関子機のカメラを作動させて当該来訪者を撮像して居室親機のモニタに出画させて居住者がその映像を確認することにより通常の来訪者であるか、セールスなのか、又はストーカー等の危険人物なのかを判断していた。また、このようなインターホンシステムの場合、カメラの撮像範囲が限られているため訪問者の上半身のみしか確認することができず、例えば手に刃物等の危険物を所持していてもわからなかった。この点を解決するため玄関子機のカメラをパンチルトすることでカメラの撮像方向を変えることにより全身を確認可能なインターホンシステムが提案されている。
【特許文献１】特開２００６−１０１３２７
【発明の開示】
【発明が解決しようとする課題】
【０００３】
しかしながら、従来のインターホンシステムは、来訪者を全身確認できるようになっても肉眼で見えるものでしか判断できず、身体に隠された所持物を確認することができなかった。
【０００４】
本発明は、この難点を解決するためになされたもので、危険物を所持しているかそうでないかをX線スキャナー装置等の非接触検知装置を用いて判断し、また、そこで確認されたX線スキャナーカメラから得た危険情報とゲート子機カメラで撮像した来訪者の画像との合成画像を作成して居室親機へ送信させて確認することによりセキュリティ性を向上させたインターホンシステムを提供することを目的としている。
【課題を解決するための手段】
【０００５】
上記課題を解決するために本発明によるインターホンシステムは、玄関近傍に設置され、来訪者が居住者を呼び出して通話をする通話部、来訪者を撮像するゲート子機カメラを有するゲート子機と、居室に設置され、居住者が来訪者からの呼び出し時にゲート子機カメラで撮像された来訪者の映像を出画するモニタと、来訪者と通話するための通話部を有する居室親機とから構成されるインターホンシステムであって、インターホンシステムには、来訪者をスキャンして危険物の所持状況を確認するためのX線スキャナー装置等の非接触検知装置と、非接触検知装置でスキャンされた画像を解析しその形状から危険物かそうでないかを判断するための画像処理部と、画像処理部が危険物と判定したとき居室親機へ危険情報を送信する制御をおこなう子機ＣＰＵを備えたことを特徴とする。
【０００６】
このような発明によれば、X線スキャナー装置等の非接触検知装置により、来訪者が危険物を所持している場合には居室親機で確認するができるのでセキュリティ性が向上する。
【０００７】
また、本発明によるインターホンシステムは、請求項１において、画像処理部は、ゲート子機カメラで撮った画像と危険情報との合成画像を作成すること特徴とする。
【０００８】
このような発明によれば、どのような形状の危険物をどこに所持しているのかを来訪者の画像に合成して表示するので居住者は確認しやすい。
【０００９】
さらに、本発明によるインターホンシステムは、請求項１又は請求項２において、画像処理部は、危険物の形状と当該形状に対する危険度が記憶されているメモリと非接触検知装置で撮像された画像の情報とを比較して判別し、危険情報とともに危険度を送信することを特徴とする。
【００１０】
このような発明によれば、危険物の形状から危険度を判定して居室親機へ表示されるので、どの程度危険なのかを容易に判断することが可能となる。
【発明の効果】
【００１１】
本発明のインターホンシステムによれば、肉眼では判断がつかない場合でも、X線スキャナー装置等の非接触検知装置から情報をもらうことで、入室許可の判断材料が増え、セキュリティ性を向上させることができる。また、X線スキャン画像等を使い、来訪者の映像と合成することにより危険物の位置を特定することができる。
【発明を実施するための最良の形態】
【００１２】
以下、本発明の好ましい実施形態について、図面を参照して詳述する。
図１は、発明の一実施例によるインターホンシステムのシステム構成図である。
【００１３】
玄関近傍に設置されるゲート子機１と、居室に設置される居室親機２と、ゲート子機近傍に設置される非接触検知装置であるX線スキャナー装置３とから構成されている。
【００１４】
また、図２のブロック図に示すように、ゲート子機１は、来訪者が操作して居住者を呼び出すための呼出ボタン１１と、居住者と通話するためのマイク１２、スピーカ１３、通話回路１４から構成される通話部と、来訪者を撮像するためのカメラ１５と、カメラ１５で撮像した映像及びX線スキャナー装置３からの画像を処理する画像処理部１６と、X線スキャナー装置用のインターフェース（以下、「IF」という）１７と、居室親機用のIF１８と、危険情報等が記憶されているメモリ１９と、ゲート子機１の各部を制御する子機ＣＰＵ２０とから構成されている。
【００１５】
ここでメモリ１９には、危険物形状判断により認識した物体の殺傷能力を示す情報が記憶され、例えば、銃と認識した場合には危険度Ａ、刃物と認識した場合には危険度Ｂ、はさみと認識した場合には危険度Ｃといった情報が記憶されている。
【００１６】
居室親機２は、ゲート子機１から送信される映像を出画するモニタ２１と、来訪者と通話するためのマイク２２、スピーカ２３、通話部２４から構成される通話部と、モニタ２１に出画するための画像処理をおこなう画像処理部２５と、ゲート子機１用のIF２６とから構成されている。
【００１７】
このように構成されたインターホンシステムにおいて、以下、動作を説明する。
【００１８】
まず、来訪者は、ゲート子機１の呼出ボタン１１を操作して居住者を呼び出す。この呼出操作をゲート子機１の子機ＣＰＵ２０で検出し、居室親機用のIF１８を介して居室親機２へ送信する。居室親機２では、ゲート子機用のIF２６を介して親機ＣＰＵ２７にて検出され通話部を制御してスピーカ２３から呼出音を報音する。また、これと同時に居室親機２は、ゲート子機１のカメラ１５を駆動するための電源を供給し、当該カメラ１５を駆動させて来訪者を撮像する（詳述せず）。
【００１９】
また、ゲート子機１は、来訪者からの呼び出しを検出すると子機ＣＰＵ２０の制御によりＸ線スキャナー装置３を駆動させる信号を送信する。これにより玄関近傍に設置されたＸ線スキャナー装置３が駆動して来訪者をスキャンする。ここで得られた画像はゲート子機１のＸ線スキャナー装置用のIF１７を介して画像処理部１６に送信される。
【００２０】
画像処理部１６では、来訪者のスキャン画像を解析し、子機ＣＰＵ２０の制御によりメモリ１９に予め記憶された危険物情報と比較する。ここで、例えば来訪者が刃物を持っているとすると画像処理部１６により刃物が検出され、危険度Ｂであるという情報を取得する。
また、当該刃物は人物の胸ポケットにあるという情報を取得することができる。
【００２１】
ここで、画像処理部１６では、ゲート子機１のカメラ１５で撮像した人物の情報に胸ポケットにある刃物を合成した画像を作成すると共に危険度Ｂであるという情報（文字情報）をあわせて居室親機用のIF１８を介して居室親機２に送信される。
【００２２】
居室親機２では、ゲート子機用IF２６、画像処理部２５を介してモニタ２１に出画される。これを確認した居住者が適宜対応する。
【００２３】
上記実施例においては、ゲート子機１とX線スキャナー装置３とが別体となっていたが、ゲート子機１と一体的に構成してもよい。
【００２４】
また、X線スキャナー装置３を駆動させるタイミングをゲート子機１の呼出ボタン１１が操作された後としているが、例えば、X線スキャナー装置３に人感センサを備え、それが感知したときに駆動するようにしてもよい。
【００２５】
なお、本実施例では、危険物（刃物）が検出されたことを例にしているが、通常の来訪者のように危険物を所持していない場合は、来訪者の映像のみが居室親機２に送信されるようにしてもいいし、危険物を所持していないことを表示するようにしてもよい。
【図面の簡単な説明】
【００２６】
【図１】本発明のインターホンシステムのシステム構成図である。
【図２】本発明のインターホンシステムのブロック図である。
【符号の説明】
【００２７】
１    ゲート子機
２   居室親機
３   X線スキャナー装置（非接触検知装置）
１６        画像処理部
２０        子機ＣＰＵ
【図１】
2010011092.tif 000003
【図２】
2010011092.tif 000004